(57)【要約】【課題】確実に電気的接続を実現することができる携帯端末装置を提供する。【解決手段】携帯端末装置１は、筐体１１に収容されたときに第１の凹部１４ｂに収容された電池１４ａと第２の凹部１４ｃに収容されたコネクタ１３とを電気的に接続する。これにより、外部から衝撃が加わっても電池パック１４とコネクタ１３とが離間するのを防ぐことができるので、電池パック１４とコネクタ１３との間の確実な電気的接続を実現することができる。また、第２の凹部１４ｃにコネクタ１３を収容させるだけで電池パック１４とコネクタ１３とが離間するのを防ぐことができるので、公知のコネクタを使用することができるので、作業効率の低下や高コスト化を防ぐことができる。【選択図】  図１
2011182231.tif 000002
【特許請求の範囲】
【請求項１】
筐体と、
この筐体に収容され、電子回路が実装された基板と、
この基板上に実装されたコネクタと、
前記筐体に対して着脱可能に収容される電池パックと
を備え、
前記電池パックは、電池を収容する第１の凹部および前記コネクタを収容する第２の凹部を有し、前記筐体に収容されたときに前記第１の凹部に収容された前記電池と前記第２の凹部に収容されたコネクタとを電気的に接続する
ことを特徴とする携帯端末装置。
【請求項２】
前記基板は、少なくともコネクタを実装した第１の基板と、第２の基板と、前記第１の基板と前記第２の基板とを電気的に接続する接続部とから構成される
ことを特徴とする請求項１記載の携帯端末装置。
【請求項３】
前記第１の凹部および前記第２の凹部は、互いに連通し
前記コネクタは、前記第２の凹部に収容された状態において前記第１の凹部に向かって突出する電極ピンを有し、
前記電池は、前記第１の凹部に収容された状態において前記第２の凹部の側に形成された電極を有する
ことを特徴とする携帯端末装置。
【発明の詳細な説明】
【技術分野】
【０００１】
本発明は、携帯端末装置に関し、より具体的には携帯端末装置本体と電池パックとの電気的な接続の構造に関するものである。
【背景技術】
【０００２】
携帯電話機、ＰＤＡ（Personal Digital Assistant）、ノートＰＣ等などの携帯端末装置において、内蔵される電池パックと携帯端末装置本体とを電気的に接続させる構成としては、携帯端末装置本体に設けたコネクタと電池パックの端子とを互いに面接触させる構成が主流となっている。この一例を図４Ａ，図４Ｂに示す。
【０００３】
図４Ａ，図４Ｂに示すように、携帯端末装置本体１００には、携帯端末装置として各種機能を実現するための電子回路が配設される回路基板１０１と、この回路基板１０１に設けられ電力供給を受けるためのコネクタ１０２とを備えている。このコネクタ１０２には、回路基板１０１の平面方向に沿った方向に突出したピン１０３が設けられている。一方、電池パック１０４は、略直方体の形状を有し、１の側面に端子（図示せず）が形成されている。このような電池パック１０４は、端子が形成された面がコネクタ１０２のピン１０３と当接するように、携帯端末装置本体１００に内蔵される。
【先行技術文献】
【特許文献】
【０００４】
【特許文献１】特開２０００−０６９１３７号公報
【特許文献２】特開２０００−３４９８７５号公報
【発明の概要】
【発明が解決しようとする課題】
【０００５】
しかしながら、上述したように単純に面接触させることによってコネクタと電池パックとを電気的に接続させる携帯端末装置では、例えば落下などの外部からの衝撃を受けた場合には、図４Ｃに示すように、コネクタ１０２のピン１０３と電池パック１０４の端子とが物理的に離れてしまい、電子回路への電力供給が絶たれ、動作停止や動作不良が発生することがあった。
【０００６】
このような問題を解決するために、例えば、特許文献１，２には、コネクタに特殊な形状を採用することが提案されている。ところが、このような構成では、特殊なコネクタが必要となるので、構成が複雑になり、作業効率の低下や高コスト化をも招いてしまう。
【０００７】
そこで、本願発明は、確実に電気的接続を実現することができる携帯端末装置を提供することを目的とする。
【課題を解決するための手段】
【０００８】
上述したような課題を解決するために、本発明に係る携帯端末装置は、筐体と、この筐体に収容され、電子回路が実装された基板と、この基板上に実装されたコネクタと、筐体に対して着脱可能に収容される電池パックとを備え、電池パックは、電池を収容する第１の凹部およびコネクタを収容する第２の凹部を有し、筐体に収容されたときに第１の凹部に収容された電池と第２の凹部に収容されたコネクタとを電気的に接続することを特徴とするものである。
【０００９】
上記携帯端末装置において、基板は、少なくともコネクタを実装した第１の基板と、第２の基板と、第１の基板と第２の基板とを電気的に接続する接続部とから構成されるようにしてもよい。
【００１０】
また、上記携帯端末装置において、第１の凹部および第２の凹部は、互いに連通し、コネクタは、第２の凹部に収容された状態において第１の凹部に向かって突出する電極ピンを有し、電池は、第１の凹部に収容された状態において第２の凹部の側に形成された電極を有するようにしてもよい。
【発明の効果】
【００１１】
本発明によれば、筐体に収容されたときに第１の凹部に収容された電池と第２の凹部に収容されたコネクタとが電気的に接続されるので、外部から衝撃が加わっても電池パックとコネクタとが離間するのを防ぐことができるので、電池パックとコネクタとの間の確実な電気的接続を実現することができる。また、第２の凹部にコネクタを収容させるだけで電池パックとコネクタとが離間するのを防ぐことができるので、公知のコネクタを使用することができるので、作業効率の低下や高コスト化を防ぐことができる。
【図面の簡単な説明】
【００１２】
【図１】図１は、本発明の第１の実施の形態に係る携帯端末装置の構成を模式的に示す図である。
【図２Ａ】図２Ａは、本発明の第２の実施の形態に係る携帯端末装置におけるコネクタと電池パックの位置関係を説明するための側面図である。
【図２Ｂ】図２Ｂは、本発明の第２の実施の形態に係る携帯端末装置の構成を模式的に示す要部平面図である。
【図２Ｃ】図２Ｃは、本発明の第２の実施の形態に係る携帯端末装置におけるコネクタと電池パックの取り付け動作を説明するための側面図である。
【図３】図３は、発明の第２の実施の形態に係る携帯端末装置における回路基板の変形例を説明するための側面図である。
【図４Ａ】図４Ａは、従来の携帯端末装置におけるコネクタと電池パックの位置関係を説明するための側面図である。
【図４Ｂ】図４Ｂは、従来の携帯端末装置の構成を模式的に示す要部平面図である。
【図４Ｃ】図４Ｃは、外部からの衝撃が加わったときの従来の携帯端末装置におけるコネクタと電池パックの位置関係を説明するための側面図である。
【発明を実施するための形態】
【００１３】
以下、図面を参照して、本発明の実施の形態について詳細に説明する。
【００１４】
［第１の実施の形態］
まず、本発明に係る第１の実施の形態について説明する。
【００１５】
図１に示すように、本実施の形態に係る携帯端末装置１は、携帯電話機、ＰＤＡ、ノートＰＣなどからなり、筐体１１と、この筐体１１に収容され、電子回路が実装された基板１２と、この基板１２上に実装されたコネクタ１３と、筐体１１に対して着脱可能に収容される電池パック１４とを備えている。
【００１６】
電池パック１４は、電池１４ａを収容する第１の凹部１４ｂおよびコネクタ１３を収容する第２の凹部１４ｃを有する。このような電池パック１４は、筐体１１に収容されたときに第１の凹部１４ｂに収容された電池１４ａと第２の凹部１４ｂに収容されたコネクタ１３とを電気的に接続する
【００１７】
このような構成を有することにより、本実施の形態に係る携帯端末装置１では、筐体１１に収容されたときに第１の凹部１４ｂに収容された電池１４ａと第２の凹部１４ｃに収容されたコネクタ１３とが電気的に接続されるので、外部から衝撃が加わっても電池パック１４とコネクタ１３とが離間するのを防ぐことができるので、電池パック１４とコネクタ１３との間の確実な電気的接続を実現することができる。また、第２の凹部１４ｃにコネクタ１３を収容させるだけで電池パック１４とコネクタ１３とが離間するのを防ぐことができるので、公知のコネクタを使用することができるので、作業効率の低下や高コスト化を防ぐことができる。
【００１８】
［第２の実施の形態］
次に、本発明に係る第２の実施の形態について説明する。
【００１９】
図２Ａ，図２Ｂに示すように、本実施の形態に係る携帯端末装置２は、携帯電話機、ＰＤＡ、ノートＰＣなどからなり、筐体からなる携帯端末装置２の本体２１と、この本体２１内部に配設され携帯端末装置２の各種機能を実現するための電子回路が実装された回路基板２２と、この回路基板２２上に配設されたコネクタ２３と、このコネクタ２３と電気的に接続される電池パック２４とを少なくとも備えるものである。
【００２０】
本体２１は、直方体形状の筐体からなり、延在方向に沿って、回路基板２２を収容する基板領域２１ａと、電池パック２４を収容する電池領域２１ｂとが連設されている。
【００２１】
回路基板２２は、平面視略矩形の形状を有し、基板領域２１ａに配設される。このような回路基板２２において、本体２１の電池領域２１ｂ側の縁部には、コネクタ２３が配設されている。
【００２２】
コネクタ２３は、公知のコネクタからなり、直方体の形状を有し、１の側面に電池領域２１ｂに向かって突出したピン２３ａが設けられている。このようなコネクタ２３の底面は、回路基板２２上に実装されている。
【００２３】
電池パック２４は、電池本体２４ａと、底面が開口した平面視略「Ｌ」字状の筐体からなり、電池本体２４ａを収容するカバー２４ｂとから構成される。電池本体２４ａは、公知の電池からなり、１の側面に端子（図示せず）が形成された直方体の形状を有する。カバー２４ｂは、電池本体２４ａを収容する平面視略矩形の基部２４ｂ−１と、基部２４ｂ−１の１の側面の一方の端部側がその側面の延在方向に直交する方向に突出した平面視略矩形のコネクタ収容部２４ｂ−２とから構成される。このような電池パック２４において、電池本体２４ａは、コネクタ２３のピン２３ａと電気的に接続される端子がコネクタ収容部２４ｂ−２に面するように、基部２４ｂ−１内部に収容される。
【００２４】
このような携帯端末装置２において、電池パック２４は、以下のようにして本体２１に取り付けられる。
まず、図２Ｃに示すように、電池パック２４のコネクタ収容部２４ｂ−２における底面の開口と、回路基板２２上のコネクタ２３の上面とを対向配置させる。このとき、電池パック２４における電池本体２４ａの端子と、コネクタ２３のピン２３ａとが略同一平面上に位置するように、電池パック２４の向きを調整する。
【００２５】
このような状態から、電池パック２４を、回路基板２２の側に向かって移動させ、本体２１の電池領域２１ｂに収容させる。このとき、電池パック２４のコネクタ収容部２４ｂ−２は、コネクタ２３を内包するようにコネクタ２３に被せられる。これにより、電池本体２４ａの端子とコネクタ２３のピン２３ａとが対向配置されることとなるので、端子にピン２３ａが当接し、結果として、電池パック２４とコネクタ２３とが電気的に接続される。
これにより、図２Ａ，図２Ｂに示すように、本体２１に電池パック２１が収容されることとなる。
【００２６】
このように、本実施の形態では、コネクタ２３に電池パック２４のコネクタ収容部２４ｂ−２が被せられた状態で本体２１に電池パック２１が収容されるので、外部からの衝撃や本体２１の塑性変形などにより過度の応力を受けた場合であっても、コネクタ２３とコネクタ収容部２４ｂ−２とが離れないので、電子回路への電力供給が絶たれて動作停止や動作不良が発生するのを防ぐことができる。
【００２７】
また、本実施の形態では、コネクタ２３にコネクタ収容部２４ｂ−２を被せるという簡便な構造によりコネクタ２３と電池パック２４との電気的な接続を実現しているので、公知のコネクタを使用することができるため、特殊な構造が不要となるので、結果として、作業効率の低下や高コスト化を防ぐことができる。
【００２８】
なお、回路基板２１の構成は、図２Ａ〜図２Ｃに示すような構成に限定されず、例えば、図３に示すような構成を採るようにしてもよい。この図３に示す回路基板３１は、電子回路を実装する基部３１ａと、少なくともコネクタ２３を実装するコネクタ部３１ｂと、フレキシブルケーブルからなり、基部３１ａとコネクタ部３１ｂとを接続する接続部３１ｃとから構成される。このような構成を採ることにより、外部からの衝撃や本体２１の塑性変形などにより過度の応力を受けた場合であっても、その応力が接続部３１ｃにより吸収されるので、コネクタ２３とコネクタ収容部２４ｂ−２とが離れるのを防ぐことができ、電子回路への電力供給が絶たれて動作停止や動作不良が発生するのを防ぐことができる。
【産業上の利用可能性】
【００２９】
本発明は、携帯電話機、ＰＤＡ、ノートＰＣなど、電池パックを備えた装置に適用することができる。
【符号の説明】
【００３０】
２…携帯端末装置、２１…本体、２１ａ…基板領域、２１ｂ…電池領域、２２…回路基板、２３…コネクタ、２３ａ…ピン、２４…電池パック、２４ａ…電池本体、２４ｂ…カバー、２４ｂ−１…基部、２４ｂ−２…コネクタ収容部、３１…回路基板、３１ａ…基部、３１ｂ…コネクタ部、３１ｃ…接続部。
【図１】
2011182231.tif 000003
【図２Ａ】
2011182231.tif 000004
【図２Ｂ】
2011182231.tif 000005
【図２Ｃ】
2011182231.tif 000006
【図３】
2011182231.tif 000007
【図４Ａ】
2011182231.tif 000008
【図４Ｂ】
2011182231.tif 000009
【図４Ｃ】
2011182231.tif 000010